(57)【要約】本発明は、システム（１０９）の既知のユーザに、新しいユーザ（１０３）を紹介し、変換するための方法及びシステムであって、既知のユーザは、特徴がシステム（１０９）に予め記憶されていて、そして検出された特徴と予め記憶されている特徴との間の適合性に基づいて、既知のユーザとして識別される、方法及びシステムである。これは、既知のユーザ（１０１）により紹介動作を受け入れるときに、新しいユーザ（１０３）の紹介を初期化し、前記紹介動作に基づいて、新しいユーザの特徴を検出し、システム（１０９）における予め記憶されている特徴に検出された特徴の少なくとも１つを追加することにより既知のユーザに新しいユーザを変換することにより行われる。
2008505417.tif 000002
【特許請求の範囲】
【請求項１】
システムの既知のユーザに、新しいユーザを紹介し、変換するための方法であって、既知のユーザは、特徴が前記システムに予め記憶されていて、そして検出された特徴と前記予め記憶されている特徴との間の適合性に基づいて、既知のユーザとして識別される、方法であり：
既知のユーザにより紹介動作を受け入れるときに、前記新しいユーザの前記紹介を初期化する段階；
前記紹介動作に基づいて、前記新しいユーザの特徴を検出する段階；及び
前記システムにおける前記予め記憶されている特徴に前記検出された特徴の少なくとも１つを追加することにより既知のユーザに前記新しいユーザを変換する段階；
を有する方法。
【請求項２】
請求項１に記載の方法であって、前記紹介動作は前記新しいユーザの方を指し示すことを有する、方法。
【請求項３】
請求項１又は２に記載の方法であって、前記紹介動作は前記新しいユーザに関する口頭情報を有する、方法。
【請求項４】
請求項１乃至３の何れ一項に記載の方法であって、前記新しいユーザの特徴の検出は前記新しいユーザの顔の検出を有する、方法。
【請求項５】
請求項１乃至４の何れ一項に記載の方法であって、前記新しいユーザの特徴の検出は前記新しいユーザからの音響効果の検出を有する、方法。
【請求項６】
処理ユニットが請求項１乃至５の何れ一項に記載の方法を実行するようするための命令を記憶しているコンピュータ読み取り可能媒体。
【請求項７】
システムの既知のユーザに、新しいユーザを紹介し、変換するための装置であって、既知のユーザは、特徴が前記システムに予め記憶されていて、そして検出された特徴と前記予め記憶されている特徴との間の適合性に基づいて、既知のユーザとして識別される、装置であり：
既知のユーザにより紹介動作を受け入れるときに、前記新しいユーザの前記紹介を初期化するための手段；
前記紹介動作に基づいて、前記新しいユーザの特徴を検出するための手段；及び
前記システムにおける前記予め記憶されている特徴に前記検出された特徴の少なくとも１つを追加することにより既知のユーザに前記新しいユーザを変換するための手段；
を有する装置。
【請求項８】
請求項７に記載の装置であって、前記検出器はデジタルカメラを有する、装置。
【請求項９】
請求項７又は８に記載の装置であって、前記検出器は音響検出器を有する、装置。
【発明の詳細な説明】
【技術分野】
【０００１】
本発明は、システムの既知のユーザに、新しいユーザを紹介して、変換するための方法及び装置であって、そのシステムにおいてその紹介はシステムに既知であるユーザにより行われる、方法及び装置に関する。
【背景技術】
【０００２】
今日の研究及び製品の傾向は、個人的カスタマイズ化を支援し且つユーザの好みを認識するパーソナル化されたユーザインターフェースに適合される。既知の例は、現代のコンピュータシステムにログインした後にユーザが利用可能であるパーソナル化されたデスクトップ及び他の設定である。理想的には、そのインターフェースは、生体評価による何れのログイン手順を用いることなく、ユーザを認識することができる。そのようなログイン手順の例については、国際公開第２００２／０７９９５４号パンフレット、欧州特許第１１９１５１７号明細書及び国際公開第２００２／０８６８６５号パンフレットに記載されている。国際公開第２００２／０７９９５４号パンフレットにおいては、ユーザが顔認識により認識される場合に、相互接続された装置の集合自体は、ユーザの好みにしたがって構成されている。欧州特許第１１９１５１７号明細書においては、動的ユーザモデルによるパーソナル化を用いる発話対話システムについて開示されていて、国際公開第２００２／０８６８６５号パンフレットにおいては、ユーザは話者認識及び話者特定情報により認識される方法について開示されている。重要な利便性の問題はユーザ登録である。ユーザが、声又は顔のような生体特徴により認識されるようになっている場合、特定のパラメータが、発話後及び／又は画像のサンプルにより得られなければならない。更に、ユーザ名がシステムに知られていなければならない。ユーザ発話入力及び出力が認識を用いるシステムの例について、欧州特許第１０８５４９９号明細書及び国際公開第２００１／２４１６１号パンフレットに開示されている。
【０００３】
上記システムの共通の問題点は、システムに新しいユーザを紹介することが冗漫過ぎることである。このために、システムは、人間のような能力を失っていて、その人間のような能力が、そのようなシステムを開発するときの主な目的になっている。更に、人間のような能力の欠如は、システムに新しいユーザを紹介するときのセキュリティを容易に脅かす。
【特許文献１】国際公開第２００２／０７９９５４号パンフレット
【特許文献２】欧州特許第１１９１５１７号明細書
【特許文献３】国際公開第２００２／０８６８６５号パンフレット
【特許文献４】欧州特許第１０８５４９９号明細書
【特許文献５】国際公開第２００１／２４１６１号パンフレット
【発明の開示】
【発明が解決しようとする課題】
【０００４】
本発明の目的は、上記の問題点を解決することである。
【課題を解決するための手段】
【０００５】
一特徴にしたがって、本発明は、システムの既知のユーザに、新しいユーザを紹介して変換するための方法であって、そのシステムにおいて、既知のユーザは、前記システムに特徴が予め記憶されているユーザであり、検出された特徴と前記予め記憶されている特徴との間のマッチングに基づいて、既知のユーザとして識別される、ユーザである、方法であり：
−  既知のユーザにより紹介動作を受け入れるとき、前記新しいユーザの前記紹介を初期化する段階；
−  前記紹介動作に基づいて、前記新しいユーザの特徴を検出する段階；及び
−  前記システムにおける前記予め記憶されている特徴に前記検出された特徴の少なくとも１つを加えることにより既知のユーザに前記新しいユーザを変換する段階；
を有する方法に関する。
【０００６】
それ故、人間−人間紹介変換が、一ユーザが既にシステムに既知であることを前提として、ユーザ対話システムについて新しいユーザの登録に対して行われ、明示的登録手順は回避される。更に、既知のユーザがその紹介を実行するのに必要なものは付加的セキュリティ特徴である。
【０００７】
実施形態においては、紹介動作は、新しいユーザの方を指し示すことを有する。これは、紹介動作中、新しいユーザの装置に対する認識タスクを容易にする。また、３人以上の人間が存在するとき、装置は、前記指し示すことにより、存在している人間のどのひとが紹介されるべきひとであるかを認識する。
【０００８】
実施形態においては、紹介動作は、前記新しいユーザに関する口頭情報を有する。これは、複数の人間の間の標準的な紹介が彼ら自身の口頭での紹介を有するため、その紹介動作をより人間的にするものである。この口頭の紹介動作は、例示として、既知のユーザが新しいユーザを紹介したいと思うことを表すコードを有することが可能である。例示として、このコードは“新しいユーザ”を有することが可能であり、そのコードは、上記の段階を開始する“新しいユーザモードを追加しなさい”に装置が進むことをもたらすことが可能である。
【０００９】
実施形態においては、前記新しいユーザの特徴の検出は新しいユーザの顔検出を有する。それにより、１つ又はそれ以上の顔の特徴が、利便的方法で得られ、新しいユーザを識別するために用いられる。これは、ユーザの目又はユーザの頭又はユーザの顔の形からの特定の特徴を有する。
【００１０】
実施形態においては、前記新しいユーザの特徴の検出は、新しいユーザからの音響効果を検出することを有する。ユーザの声が、それ故、検出され、その声は他の声又は音から区別されることができる。これは、例示として、話者識別モジュールを用いることにより行われる。これは、システムのセキュリティレベルを一層高める。他の実施形態においては、前記新しいユーザの特徴は、前記顔検出特徴及び新しいユーザからの音響効果の両方を有する。それにより、この組み合わせによって、ユーザとシステムとの間の対話はより人間のようになる。
【００１１】
更なる特徴においては、本発明は、処理ユニットが前記方法を実行するようにするための命令を記憶しているコンピュータ読み取り可能媒体に関する。
【００１２】
他の特徴においては、本発明は、システムの既知のユーザに、新しいユーザを紹介し、変換するための装置であって、既知のユーザは、前記システムに特徴が予め記憶されているユーザであり、検出された特徴と前記予め記憶されている特徴との間のマッチングに基づいて、既知のユーザとして識別される、ユーザである、装置であり：
−  既知のユーザにより紹介動作を受け入れるとき、前記新しいユーザの前記紹介を初期化するための手段；
−  前記紹介動作に基づいて、前記新しいユーザの特徴を検出するための手段；及び
−  前記システムにおける前記予め記憶されている特徴に前記検出された特徴の少なくとも１つを加えることにより既知のユーザに前記新しいユーザを変換するための手段；
を有する装置に関する。
【００１３】
それにより、明示的登録手順は回避され、人間−人間変換を支援し、変換するための容易な且つ人間のような方法が生体特徴によりシステムの既知のユーザに、新しいユーザを紹介し、変換するようにする装置を提供する。同時に、その紹介は、装置により肯定的に識別された既知のユーザにより実行されるために、高いセキュリティレベルが与えられる。
【００１４】
実施形態においては、前記検出器はデジタルカメラを有する。それにより、新しいユーザについての１つ又はそれ以上の顔の特徴が決定され、前記予め記憶されている特徴に追加されることが可能である。
【００１５】
実施形態においては、前記検出器は音響センサを有する。それにより、話者音響識別モデルが新しいユーザについて生成され、新しいユーザのための音響特徴として用いられ、そして前記予め記憶されている特徴に追加されることが可能である。
【００１６】
以下、本発明について、特に、好適な実施形態について、添付図に関連付けて詳述する。
【発明を実施するための最良の形態】
【００１７】
図１は、システム１０９の既知のユーザに新しいユーザ１０３を紹介して変換するための装置１１３であって、既知のユーザは、そのユーザの特徴が前記システム１０９に予め記憶されているユーザであり、そのユーザは、検出された特徴と前記予め記憶されている特徴との間の適合性に基づいて、既知のユーザとして識別される、装置を示している。この実施例においては、そのシステム１０９はコンピュータであり、装置１１３はそのコンピュータ１０９に統合されている。装置１１３はまた、システム１０９の外部に備えられることが可能である。システム１０９は、一般に、何れの種類の電子システムであることが可能である。装置１１３は、前記新しいユーザ１０３の特徴を検出するための検出器１０２、１０４と、前記システム１０９において前記予め記憶されている特徴に検出された特徴の少なくとも１つを追加することにより、前記新しいユーザを既知のユーザに変換する処理器１０８とを有する。この実施形態においては、検出器１０２、１０４は、１つ又はそれ以上の顔の特徴及び声を検出するために、デジタルカメラ１０４と音響センサ１０２とを有する。
【００１８】
図１ａに示すように、新しいユーザ１０３は、既知であるユーザ１０１によりシステム１０９に紹介される。先ず、システム１０５に接続されている既知のユーザ１０１は、例えば、新しいユーザ１０３の方を指し示すことにより、システム１０９に新しいユーザ１０３を紹介する。その紹介は、例えば、新しいユーザ１０３の名前を発話する１１５口頭の紹介を更に有することが可能である。カメラ１０４は、指し示すことに続いて、例えば、顔の検出により新しいユーザにフォーカシングし、画像を得る。処理器１０８は、既知のフェーズ認識方法に基づいて、顔の特徴を決定し、予め記憶されている他のユーザの特徴を有する記憶手段１０６に得られた特徴を追加する。それらの特徴は、ユーザの目からの特定の特徴又は画像におけるパターンを有することが可能である。図１ｂに示すように、装置１０９は、新しいユーザ１０３に幾つかのフェーズを繰り返すように求める。新しいユーザ１０３からの答に基づいて、処理器は、新しいユーザ１０３についての音響識別モデル又は音響特徴を生成し、それらは前記記憶手段１０６に記憶される。
【００１９】
図１ｃにおいて、ユーザ１０３は、システム１０９に既知である既知のユーザに対して変換され、それ故、システム１０９と対話する１２１ようにアクセスを有する。
【００２０】
一実施形態においては、写真画像は、システム１０９の既知のユーザに新しいユーザ１０３を紹介し、変換するように用いられる。この実施形態においては、装置１１３は、特徴が顔の特徴のみを有するように、新しいユーザへのアクセスを与える画像のみを使用する。それ故、新しいユーザは、システム１０９に新しいユーザを紹介するとき、必ずしも必要はない。
【００２１】
実施例として、既知のユーザは“Ｄｉｍｉ”と呼ばれる装置により認識される。新しいユーザは、次のような対話により紹介されることが可能である。
１．既知のユーザ：“Ｄｉｍｉ、私の友達のＨａｒｏｌｄに会ってくれ”
２．装置（既知の顔を認識するための顔検出及び顔認識を用いて、その装置は、これが新しいユーザであることを前提として、写真を撮り、画像データベースにそれらを入れる）：“こんにちは、Ｈａｒｏｌｄ、はじめまして”
３．Ｈａｒｏｌｄ：“こんにちは、Ｄｉｍｉ”（装置は、発話認識及び話者識別パラメータの採用のために発話及び音響効果を記憶する）
図２は、既知のシステムのユーザに新しいユーザを紹介し、変換するための方法の実施形態のフロー図である。最初に、新しいユーザが既知のユーザによりそのシステムに紹介され（Ｉｎｔｒｏ．）２０１、そのことは、システムにより肯定的に認識される。その紹介は、例えば、システムに既知である他のユーザにより新しいユーザの方を指し示すことにより行われる。また、既知のユーザは、新しいユーザの写真を使用することが可能である。新しいユーザ（又は写真）の１人又はそれ以上（１つ又はそれ以上）は、スキャナ、デジタルカメラ又は他の手段により検出される（Ｄｅｔ．Ｃｈａｒ．）２０３。それらの特徴は、カメラにより検出される画像マトリクスにおける光強度に基づいて、例えば、新しいユーザの目の特徴、顔の異なる部分間の距離を有する。続いて、検出された特徴は、予め記憶されている特徴を有する記憶手段に記憶される（Ｓｔ．ａｃｃ．Ｐａｒａｍ．）２０７。それにより、新しいユーザがシステムにアクセスしたいと思うとき、その装置は１つ又は幾つかの特徴を検出し、それらを予め記憶されている特徴と比較する。それ故、マッチングが見つけられたとき、ユーザはシステムにアクセスする（Ａｃｃ．Ｓｙｓ）２０９。
【００２２】
図３は、システムの既知のユーザに新しいユーザを紹介し、変換するための方法の他の実施形態のフロー図を示している。図２に関連して上記したように、新しいユーザがシステムに紹介され（Ｉｎｔｒｏ）３０１、新しいユーザの１つ又はそれ以上の特徴が検出される（Ｄｅｔ．Ｃｈａｒ．）３０３。図２に記載されている実施形態に加えて、装置は、例えば、ユーザに幾つかの語句を繰り返すように求める（Ａｃ．Ｐｈｒａ．）３０７ことにより、新しいユーザの声を更に検出することができ、それに基づいて、新しいユーザについての音響識別モデル（Ａｃ．Ｍｏｄ．）３０９又は音響特徴を生成する。それらの特徴は、次いで、予め記憶されている特徴を有する記憶手段に記憶される（Ｓｔ．ａｃｃ．Ｐａｒａｍ．）３１１。それ故、前記新しいユーザがシステムにアクセスしたいと思うとき、処理器は、１つ又はそれ以上の検出された特徴と予め記憶されている特徴との間のマッチングが存在するかどうかを調べる。マッチングが存在する場合、システムへのアクセスが許可される（Ａｃｃ．Ｓｙｓ）３１３。
【００２３】
上記実施形態は、本発明を制限するのではなく例示するものであり、当業者は、同時提出の特許請求の範囲における範囲から逸脱することなく多くの代替の実施形態をデザインすることができることに留意する必要がある。用語‘を有する’は、請求項に挙げられている要素又は段階以外の要素又は段階の存在を排除するものではない。本発明は、幾つかの別個の要素を有するハードウェアにより及び適切にプログラムされたコンピュータにより実施されることが可能である。幾つかの手段を列挙している装置請求項においては、それらの手段の幾つかは、全く同一のハードウェアにより実施されることが可能である。特定の手段が互いに異なる独立請求項に記載されていることのみにより、それらの手段の組み合わせが有利であるように用いられないことを意味するものではない。
【図面の簡単な説明】
【００２４】
【図１】システムの既知のユーザに、新しいユーザを紹介し、変換するための装置を示す図である。
【図２】システムの既知のユーザに、新しいユーザを紹介し、変換するための方法の実施形態のフロー図である。
【図３】システムの既知のユーザに、新しいユーザを紹介し、変換するための方法の他の実施形態のフロー図である。
【図１ａ】
2008505417.tif 000003
【図１ｂ】
2008505417.tif 000004
【図１ｃ】
2008505417.tif 000005
【図２】
2008505417.tif 000006
【図３】
2008505417.tif 000007
【国際調査報告】
2008505417.tif 000008
2008505417.tif 000009
2008505417.tif 000010